(57)【要約】【課題】メモリを増設してもバックアップできる時間が短くならない電子機器を提供する。【解決手段】増設メモリモジュール１５を付加接続可能な基板１４を備えた電子機器において、上記増設メモリモジュール１５は、自己をバックアップする電池Ｂ２を備えたことを特徴とする。【選択図】図２
2006293657.tif 000002
【特許請求の範囲】
【請求項１】
増設メモリモジュールを付加接続可能な基板を備えた電子機器において、
上記増設メモリモジュールは、自己をバックアップする電池を備えたことを特徴とする電子機器。
【請求項２】
請求項１において、
上記電池は、これを充電する充電制御回路を備えていることを特徴とする電子機器。
【請求項３】
請求項１又は請求項２において、
上記増設メモリモジュールは、ＳＤＲＡＭで構成されていることを特徴とする電子機器。
【発明の詳細な説明】
【技術分野】
【０００１】
本発明は、ファクシミリ装置等の電子機器に関し、より詳しくは、メモリの増設が可能な基板と増設メモリモジュールとを備えたものに関する。
【背景技術】
【０００２】
近年の情報化に伴い、ＦＡＸ通信やコピー、印刷等を行う電子機器は、大容量のデータを記憶保持することが求められるため、標準仕様で搭載されたメモリのみでは記憶しきれない場合を想定して、下記特許文献１に記載のようなメモリ増設可能な電子機器（印字装置）が知られている。
【特許文献１】特開平６−１２７０４２号公報
【発明の開示】
【発明が解決しようとする課題】
【０００３】
このような電子機器に搭載される種々あるメモリのうち、ＤＲＡＭやＳＤＲＡＭといった記憶素子は、放置しておくとキャパシタの電荷が電流としてリークし、保存したデータが失われてしまうので、定期的に読み出して書き込みを行う「リフレッシュ（再充電）」動作をさせることを要する。
この「リフレッシュ」は、システムの待機時等、長時間アクセスされない場合には、外部からの制御なしでＤＲＡＭ、ＳＤＲＡＭ自体の内部回路で読み出しアドレスを生成し、自動的に最適な間隔でリフレッシュを行う「セルフリフレッシュ」が用いられるが、この状態においては電力をバックアップ用の電池から給電するため、メモリを増設すると、それに伴いその分の消費電力が大きくなり、バックアップできる時間が短くなってしまうという問題があった。
【０００４】
本発明は、このような課題を解決するために提案されるものであり、メモリを増設してもバックアップできる時間が短くならない電子機器を提供することを課題とするものである。
【課題を解決するための手段】
【０００５】
上記目的を達成するために提案される請求項１の電子機器は、増設メモリモジュールを付加接続可能な基板を備えており、上記増設メモリモジュールは、自己をバックアップする電池を備えたことを特徴とする。
【０００６】
請求項２は、請求項１において、上記電池は、これを充電する充電制御回路を備えていることを特徴とする。
【０００７】
請求項３は、請求項１又は請求項２において、上記増設メモリモジュールは、ＳＤＲＡＭで構成されていることを特徴とする。
【発明の効果】
【０００８】
本発明の請求項１に記載の電子機器によれば、増設メモリモジュールは、自己をバックアップする電池を備えているので、メモリを増設しても、従来のようにバックアップできる時間が短くなることがない。
また、メモリ増設を想定して予め大容量の電池を電子機器本体に実装する必要がないため、コストダウンや回路の簡略化が図れる。
【０００９】
請求項２によれば、自己をバックアップする電池は、これを充電する充電制御回路を備えているので、商用電源で動作中は電池を充電することができ、一層バックアップできる時間を長くすることができる。
【００１０】
請求項３によれば、ＳＤＲＡＭで構成されるメモリを増設できるので、電子機器の処理時間の高速化が図れる。
【発明を実施するための最良の形態】
【００１１】
以下に、本発明の実施の形態について説明する。
【実施例１】
【００１２】
図１は本発明の電子機器の要部構成の一例を示す図、図２は本発明の電子機器に搭載されるメモリの回路構成の一例を示す図、図３（ａ）（ｂ）は増設メモリモジュールの充放電制御回路の回路構成の例を示す図である。
ここでは、電子機器の一例として、ファクシミリ装置Ｆの構成を示しているが、コピー装置、プリンタ、パーソナルコンピュータ等であってもよい。
【００１３】
ファクシミリ装置Ｆは、ファクシミリ装置Ｆを制御するＭＰＵ１、電話回線Ｌを接続付加したＮＣＵ２、ファクシミリ通信のために必要な各種信号の変復調をするモデム３と、画像データの符号化、復号するＣＯＤＥＣ４と、セットされた原稿を読み取るスキャナ５と、予めセットされた記録紙に、画像データを記録して排出トレーに排出するプリンタ６と、このファクシミリ装置ＦをＬＡＮ（Ｎ）に接続するためのＬＡＮインタフェース（Ｉ／Ｆ）７と、このファクシミリ装置Ｆが動作するのに必要なプログラム等を格納するフラッシュメモリ８と、短縮ダイヤル等を登録するＲＡＭ９と、スキャナ５で読み取った原稿や受信した画像データを蓄積するためのメモリ１０と、各種操作キーを備える操作部１１と、液晶画面などの表示画面を備える表示部１２とを備える。
ここでメモリ１０は、クロック信号に同期してデータを読み書きする際のタイミングの調整等の制御を行うメモリコントローラ１０ａを介して制御されており、メモリを増設する場合は、メモリスロット１０ｂの差込口に増設メモリモジュール１５が接続される。
【００１４】
本発明が採用されるファクシミリ装置Ｆは、増設メモリモジュール１５を付加接続可能な基板１４を備えており、増設メモリモジュール１５は、自己をバックアップする電池Ｂ２を備えたことを特徴とする。またバックアップ用の電池Ｂ２は充電制御回路１３ｂを備えているため、電源Ｖｃが動作中は電池Ｂ２を充電することができる。
図２に示すように、メモリ増設されたメモリ１０は、メインメモリＭと増設メモリＭ’とで構成されており、メインメモリＭは、電池Ｂ１とそれを充電する充電制御回路１３ａとを備えている。一方増設メモリＭ’は、増設メモリモジュール１５に実装され、バックアップ用の電源として機能する電池Ｂ２とそれを充電する充電制御回路１３ｂとを備えている。
【００１５】
ここでメインメモリＭ及び増設メモリＭ’のメモリの種類や基本動作周波数、ＣＬ値等のスペックは特に限定されるものではないが、メモリの種類としては、ＳＤＲＡＭ（ＤＤＲ  ＳＤＲＡＭも含む）、ＤＲＡＭ等が容量の上で有利ある。また増設メモリＭ’は、メインメモリＭとして装備されているメインの種類やメモリコントローラ１０ａ及びメモリスロット１０ｂに依存して選択される。
充電制御回路１３ａ、１３ｂに接続されるバックアップ用の電池Ｂ１、Ｂ２は、ニッケル水素電池、ニカド電池、リチウムイオン電池等が用いられる。
【００１６】
図３（ａ）（ｂ）は、図２で示すＸ部の充電制御回路の構成の一例を示した回路構成図である。図３（ａ）はスイッチ回路で構成された例、図３（ｂ）はダイオードスイッチ回路で構成された例を各々示している。
図３（ａ）のスイッチ回路は、３つの端子で構成され、接続切替されるスイッチ（Ｓ１、Ｓ３）と、伝送路をオンオフするスイッチ（Ｓ２）でなり、図３（ａ）は、ファクシミリ装置Ｆ本体の電源Ｖｃがオフ状態を示している。このときスイッチＳ３はオン状態になる構成としているので、電源Ｖｃがオフのときには増設メモリＭ’は電池Ｂ２から給電可能である。一方、電源Ｖｃがオン状態の場合は、スイッチＳ１及びスイッチＳ２がオン状態となり、バックアップ用の電池Ｂ２が充電できる構成としている。よって電源Ｖｃがオフ状態において、セルフリフレッシュし、電力を消費しても、電源Ｖｃがオン状態の時に、電池Ｂ２を充電できるので、増設メモリＭ’を増設したことにより、バックアップできる時間が短縮することがない。
【００１７】
図３（ｂ）は、上述の図３（ａ）と同様の動作が行われる充電制御回路１３ｂをダイオードスイッチで構成した例を示している。図３（ｂ）のダイオードスイッチ回路は、３つのダイオード（Ｄ１、Ｄ２、Ｄ３）でなり、ダイオードＤ２は保護抵抗Ｒを介して電池Ｂ２と接続されている。ダイオードスイッチでは、電圧が順方向になると導通状態となり、逆方向になると遮断状態となる。よって、電源Ｖｃがオン状態になるとＶｃ＞Ｂ２となり、ダイオードＤ２はオン状態、ダイオードＤ１には電源Ｖｃから増設メモリＭ’へと電流が流れ、オン状態となる。一方電源Ｖｃがオフ状態になるとＶｃ＜Ｂ２となり、ダイオードＤ２、ダイオードＤ１はオフ状態、ダイオードＤ３はオン状態となる。
なお、図３（ｂ）に示すダイオードスイッチでなる充電制御回路１３ｂにおいても、図３（ａ）と同様の効果が得られることは言うまでもない。
【図面の簡単な説明】
【００１８】
【図１】本発明の電子機器の要部構成の一例を示す図である。
【図２】本発明の電子機器に搭載されるメモリの回路構成の一例を示す図である。
【図３】（ａ）及び（ｂ）は、増設メモリモジュールの充放電制御回路の回路構成の例を示す図である。
【符号の説明】
【００１９】
１０    メモリ
１０ａ  メモリコントローラ
１０ｂ  メモリスロット
Ｍ      メインメモリ
Ｍ’    増設メモリ
１３ａ、１３ｂ  充電制御回路
１４    基板
１５    増設メモリモジュール
【図１】
2006293657.tif 000003
【図２】
2006293657.tif 000004
【図３】
2006293657.tif 000005